(57)【要約】【課題】樋の容量を実質的に増加させ、前傾姿勢等で流れ落ちる雨水があっても、溢れ出にくくし、溢れ抑制機能の向上を図る。【解決手段】シェル１の前側に設けられる鍔部２の外側に樋３を設け、樋３に溜まった雨水を排水する排出通路１１を設け、鍔部２の内側に排出通路１１を構成するダクト１２を一体に設け、鍔部２に樋３から排出通路１１に連通する連通孔１５を形成し、シェル１の前側部分より後方に排出通路１１に連通する排出口１３を設けた。【選択図】　図１
2004115940.tif 000002
【特許請求の範囲】
【請求項１】
ドーム状に形成され前側に鍔部を有したシェルの当該鍔部の外側に、該シェルの外面を伝わって流れる雨水を受ける樋を設けた樋付ヘルメットにおいて、
上記鍔部の内側に上記樋に溜まった雨水を排水する排出通路を設けたことを特徴とする樋付ヘルメット。
【請求項２】
上記シェルの上下方向の軸線を垂直にした基準位置状態で、上記排出通路の底部を後下りに傾斜形成したことを特徴とする請求項１記載の樋付ヘルメット。
【請求項３】
上記樋の少なくとも前側上端縁に内側に折れ曲がる折り返し片を形成したことを特徴とする請求項１または２記載の樋付ヘルメット。
【請求項４】
上記鍔部の内側に上記排出通路を構成するダクトを一体に設け、上記鍔部に上記樋から上記排出通路に連通する連通孔を形成し、上記シェルの前側部分より後方に上記排出通路に連通する排出口を設けたことを特徴とする請求項１，２または３記載の樋付ヘルメット。
【請求項５】
上記排出口に雨水を下方に導く舌片を設けたことを特徴とする請求項４記載の樋付ヘルメット。
【請求項６】
上記鍔部を着脱可能に形成し、上記排出通路を鍔部、ダクト及びシェルの外面を用いて構成し、上記鍔部及びダクトのシェルに接合する縁部にシール部材を設けたことを特徴とする請求項４または５記載の樋付ヘルメット。
【請求項７】
上記ダクトに上記排出口を有したパイプを接合したことを特徴とする請求項４，５または６記載の樋付ヘルメット。
【発明の詳細な説明】
【０００１】
【発明の属する技術分野】
本発明は、ドーム状に形成されたシェルにその外面を伝わって流れる雨水を受ける樋を設けた樋付ヘルメットに関する。
【０００２】
【従来の技術】
一般に、ヘルメットは、自動二輪車や作業現場などで安全のために装着されるが、例えば、自動二輪車に乗車する郵便の配達員にあっては、雨の降っている日の配達の際、カバンから郵便物を取り出すときに下向きに頭を下げることから、ヘルメットを伝わって雨水がカバン内に流れ落ち、カバン内部の郵便物を濡らしてしまうことがあるという問題がある。
あるいはまた、ヘルメットを着用して屋外で作業をする作業員にあっては、下向きに頭を下げたときなど、流れ落ちた雨水が視界に入り作業性を損ねてしまうなどの問題がある。
このため、従来から、このようなことを抑制する樋付ヘルメットが提案されている。
【０００３】
従来、この種の樋付ヘルメットとしては、例えば、特許文献１（実開昭６２−７９８３３号公報）に掲載されたものが知られている。
これは、図１１に示すように、ドーム状に形成され前側に鍔部２を有したシェル１の当該鍔部２の外側に、樋３を設けたものである。樋３は、シェル１の開口縁に略沿って設けられ、後方部位において、樋３を伝わって流れる雨水を排出するようにしている。
これにより、樋付ヘルメットの装着者が前傾姿勢をする等して、樋付ヘルメットが前側に傾いても、シェル１の外面を伝わって流れる雨水が樋３に受けられるので、鍔部２から顔の前側に雨水が降りかかる事態が抑制される。
【０００４】
【特許文献１】
実開昭６２−７９８３３号公報
【０００５】
【発明が解決しようとする課題】
ところで、この従来の樋付ヘルメットにあっては、樋３に受けられた雨水が樋３から溢れ出ることを抑制する機能に劣っているという問題があった。
その理由は、雨水が開放状態の樋３を伝わって排出されるので、一度樋３で受けられた雨水が樋３に溜まりながら流れることになる。そのため、実質的に樋３の容量が狭められ、樋付ヘルメットの傾きにより雨水が樋内に入り込むと、樋３を流れている雨水と合体してしまうことから、樋３内での雨水の増加の程度が急速になり、その結果、樋３からの雨水が溢れ出易くなるからである。
一方、樋３の容量を大きくすることも考えられるが、これだと、樋付ヘルメットの見栄えを損ねてしまう。
【０００６】
本発明はこの点に鑑みてなされたもので、樋の容量を実質的に増加させ、前傾姿勢等で流れ落ちる雨水があっても、溢れ出にくくし、溢れ抑制機能の向上を図った樋付ヘルメットを提供することを目的とする。
【０００７】
【課題を解決するための手段】
このような目的を達成するための本発明の樋付ヘルメットは、ドーム状に形成され前側に鍔部を有したシェルの当該鍔部の外側に、該シェルの外面を伝わって流れる雨水を受ける樋を設けた樋付ヘルメットにおいて、上記鍔部の内側に上記樋に溜まった雨水を排水する排出通路を設けて構成している。
これにより、雨の降る際、下向きに頭を下げたときなどには、シェルの前側が下がわになるので、シェルの外面にある雨水が前側に集中して流れ落ち、そのため、一気に雨水が樋内に入り込み、樋から溢れ出ようとするが、排出通路を別途設けたので樋内に滞留する雨水がほとんどなく、雨水を受け入れる容量が樋の空間分略確保されていることから、樋の容量が実質的に増加させられており、そのため、雨水が十分に受け入れられ、溢れ出る事態が抑制され、溢れ抑制機能が向上させられる。
【０００８】
また、必要に応じて、上記シェルの上下方向の軸線を垂直にした基準位置状態で、上記排出通路の底部を後下りに傾斜形成した構成としている。これにより、常時、円滑に雨水を排出することができる。
また、必要に応じて、上記樋の少なくとも前側上端縁に内側に折れ曲がる折り返し片を形成した構成としている。樋の上端縁全部に亘って折り返し片を設けてもよい。これにより、樋内の雨水の量がある程度許容量を超えても、この折り返し片で雨水を受け止めることができ、そのため、より確実に樋からの溢れ出しを抑えることができ、この点でも、溢れ抑制機能を向上させることができる。
【０００９】
更に、必要に応じ、上記鍔部の内側に上記排出通路を構成するダクトを一体に設け、上記鍔部に上記樋から上記排出通路に連通する連通孔を形成し、上記シェルの前側部分より後方に上記排出通路に連通する排出口を設けて構成している。ダクトを一体に設けたので、特に、鍔部が着脱タイプの場合には取り扱いが容易になる。また、見栄えを損なうこともなく、外観品質を向上させることができる。
更にまた、必要に応じ、上記排出口に雨水を下方に導く舌片を設けて構成している。雨水は排出口から舌片を伝わって略直下に落下していき、そのため、飛散を防止することができる。
【００１０】
また、上記鍔部を着脱可能に形成し、上記排出通路を鍔部、ダクト及びシェルの外面を用いて構成し、上記鍔部及びダクトのシェルに接合する縁部にシール部材を設けて構成している。部品点数を少なくでき、構造の簡素化ができ、安価に製造することができる。また、鍔部及びダクトとシェルとの密着性が向上し、排出通路からの漏水を防止できる。
更に、上記ダクトに上記排出口を有したパイプを接合して構成している。雨水がパイプの排出口から外部に排出されるため、飛散を防止することができるとともに、より装着者の視界を遮らなくなり、装着者の集中力を更に削がないようにできる。
【００１１】
【発明の実施の形態】
以下、添付図面に基づいて、本発明の実施の形態に係る樋付ヘルメットについて詳細に説明する。尚、上記と同様のものには同一の符号を付して説明する。
図１乃至図６には、本発明の第一の実施の形態に係る樋付ヘルメットを示している。この樋付ヘルメットの基本的構成は、ドーム状に形成されたシェル１と、シェル１の開口縁部の外側であって前側に設けられる鍔部２と、鍔部２の外側に設けられる樋３とで構成されている。
【００１２】
シェル１は、強化ガラス繊維やケブラーカーボン等で形成され、外面が平滑に形成されている。シェル１の外面に付着した雨水は、シェル１の外面が平滑であるため、下方に流れ落ちる。シェル１の内部には、発泡樹脂で形成されたライナ１ａが備えられている。ライナ１ａの内側には、装着者の頭の形に合わせて変化するように、クッション部材（図示せず）が設けられている。図３に示すように、シェル１の開口縁部の両側方には、シェル１を頭部へ固定する顎紐４が延びている。顎紐は、装着者の頭部に合わせて調節可能になっている。
【００１３】
鍔部２は、十分に剛性のある樹脂で形成され、シェル１外面の前側の端部に沿って設けられ、シェル１の上下方向の軸線Ｐ（図３）を垂直にした基準位置状態で前下りに形成されている。鍔部２の両側には、シェル１に取付けるための孔５が形成されている。鍔部２は、ボルト６を、鍔部２に設けた孔と、鍔部２の外側に設けられる軸受部材７と、これを覆うカバー８とに連通し、シェル１に設けた雌ネジ９に螺合し、シェル１に着脱可能に設けられている。また、鍔部２には、装着者の顔面等を保護する半透明のシールド（図示せず）が一体に装着可能になっている。
【００１４】
鍔部２の外側に設けられた樋３は、シェル１の外面を伝わって流れる雨水を受けることができる。樋３の前側上端縁には、樋３の内側に折れ曲がる折り返し片１０が形成されている。雨水が樋３から溢れ出ようとしたときは、折り返し片１０によって樋３に溜まった雨水を上方から抑えることができるようになっている。
【００１５】
また、鍔部２の内側には、樋３に溜まった雨水を排水する排出通路１１が設けられている。詳しくは、鍔部２の内側には、排出通路１１を構成する左右対称の一対のダクト１２が一体に設けられている。これにより、排出通路１１は、鍔部２、ダクト１２及びシェル１の外面を用いて構成されている。また、鍔部２及びダクト１２のシェル１に接合する縁部には、シール部材１４が設けられている。これにより、鍔部２及びダクト１２とシェル１との密着性が向上し、排出通路１１からの漏水が防止されている。
また、図３に示すように、シェル１の上下方向の軸線Ｐを垂直にした基準位置状態で、排出通路１１の底部は、後下りに傾斜形成されている。
【００１６】
更に、鍔部２には樋３から各ダクト１２の排出通路１１に連通する左右対称の一対の連通孔１５が形成され、シェル１の前側部分より後方に各ダクト１２の排出通路１１に連通する排出口１３が設けられている。
排出口１３は、ダクト１２の末端を外部に開放することにより形成されている。この排出口１３には、雨水を下方に導く舌片１６が設けられている。ダクト１２からの雨水の排出を円滑に行うことができる。
【００１７】
従って、この第一の実施の形態に係る樋付ヘルメットを、雨降りの際に使用したときは、以下のようになる。
通常、樋付ヘルメットを装着した状態では、上半身は起立姿勢にあることから軸線Ｐが垂直で基準位置状態にあり、シェル１に降りかかって付着した雨水は、重力に従ってシェル１の外面を伝わって全体にわたり分散されて下方に流れ落ち、特に、前側を伝わって流れ落ちる雨水は樋３に受け止められ、樋３を流れて連通孔１５を通りダクト１２へ至り、排出通路１１を通って排出口１３から排出されていく。
この場合、排出口１３が樋付ヘルメットの前側部分より後方に位置しているので、雨水が装着者の視界を遮らなくなり、装着者は注意力を削がれない。
【００１８】
また、排出通路１１の底部がシェル１の上下方向の軸線を垂直にした基準位置状態で後下りに傾斜形成されているので、排出口１３が低位置にあることから、雨水は排出口１３から円滑に排出されていく。そのため、樋３内に滞留する雨水がほとんどなく、雨水を受け入れる容量が樋３の空間分略確保される。
また、排出口１３に雨水を下方に導く舌片１６が設けられているので、雨水は排出口１３から略直下に落下していき、そのため、飛散が防止される。
【００１９】
この状態で、例えば、自動二輪車に乗車する郵便の配達員にあっては、雨の降っている日の配達の際、カバンから郵便物を取り出すときに下向きに頭を下げるときや、あるいはまた、ヘルメットを着用して屋外で作業をする作業員にあっては、下向きに頭を下げたときなどには、シェル１の前側が下がわになるので、シェル１の外面にある雨水が前側に集中して流れ落ち、そのため、一気に雨水が樋３内に入り込むので、樋３から溢れ出ようとするが、上記のように、樋３内に滞留する雨水がほとんどなく、雨水を受け入れる容量が樋３の空間分略確保されているので、樋３の容量が実質的に増加させられており、そのため、雨水が十分に受け入れられ、溢れ出る事態が抑制され、溢れ抑制機能が向上させられる。
この場合、排出通路１１を流れている雨水は、逆流しようとするが、排出通路１１は樋３と隔離されており、連通孔１５も比較的小さなものなので、樋３内に入り込みにくく、そのため、シェル１から樋３内に入り込んだ雨水と合流して樋３外に溢れ出る事態も抑制され、この点でも、溢れ抑制機能が向上させられる。
【００２０】
また、樋３内の雨水の量がある程度許容量を超えても、樋３には折り返し片１０が設けられているので、この折り返し片１０で雨水を受け止めることができ、そのため、より確実に樋３からの溢れ出しを抑えることができ、この点でも、溢れ抑制機能を向上させることができる。
この結果、樋付ヘルメットから雨水が流れ落ち、カバン内部の郵便物を濡らしてしまったり、流れ落ちた雨水が視界に入り作業性を損ねてしまうなどの事態が確実に防止される。
【００２１】
それから、装着者がお辞儀を終える等して、軸線が垂直になり基準位置状態に戻ると、排出口１３がダクト１２の底部よりも低く位置するので、樋３や排出通路１１に溜まった雨水が再び正常に流れはじめ排出口１３から排出されていく。
また、樋３の容量が実質的に増加させられているので、樋３を特別に大きく形成する必要もなく、その分、見栄えもよく、外観品質が向上させられる。
【００２２】
次に、本発明の第二の実施の形態に係る樋付ヘルメットについて説明する。
図７及び図８に示すように、この樋付ヘルメットは、第一の実施の形態と異なり、樋３の内側には左右にわたってダクト１２が設けられており、排出通路１１が一本になっているとともに、排出通路１１は、鍔部２、ダクト１２で囲まれる空間で構成されている。ダクト１２は、断面Ｌ字状に形成され、シェル１に密接する壁部１７を有している。
また、鍔部２の中央に、連通孔１５が設けられている。更に、排出通路１１において、連通孔１５の下方には、凸状部１８が形成されており、この凸状部１８の左右に凹部１９が形成される。これ以外は、第一の実施の形態と同様の構成としている。
【００２３】
従って、この第二の実施の形態に係る樋付ヘルメットによれば、凸状部１８が設けられているので、凹部１９との落差が大きくなり、連通孔１５から排出通路１１に流入した雨水がすぐに凹部１９に至るので、下向きに頭を下げた際シェル１の前側が下がわになって、排出通路１１を流れている雨水が逆流しようとしても、連通孔１５直下に雨水がほとんどないことから樋３内の雨水と即座に合流する雨水がなく、そのため、瞬時の溢れ抑制機能が向上させられる。また、ダクト１２にシェル１の外面を用いないことから、排出通路１１からの漏水が確実に防止できる。
他の作用，効果は上記と略同様である。
【００２４】
次にまた、本発明の第三の実施の形態に係る樋付ヘルメットについて説明する。
図９及び図１０に示すように、この樋付ヘルメットは、第一の実施の形態と略同様に構成されるが、第一の実施の形態と異なって、ダクト１２に排出口１３を有した塩化ビニル等の樹脂製パイプ２１を接合して構成されている。詳しくは、ダクト１２の終端は閉塞されており、このダクト１２の終端側において、シェル１に開設されダクト１２で形成される排出通路１１部分に連通する通口２０が設けられている。そして、パイプ２１は、シェル１の開口の内周に沿い、ライナ１ａの端部に固定されており、その両端は夫々、左右の通口２０に連結されている。パイプ２１の中間部には、排出口１３として構成されるパイプ２１が接続され、この排出パイプ２１は、シェル１の後部に開設した通孔２２に挿通され、外部へ雨水を排出できるようにしている。また、パイプ２１はシェル１の軸線を垂直にした基準位置状態で、後下りに傾斜形成されている。
従って、この第三の実施の形態に係る樋付ヘルメットによれば、パイプ２１により雨水をより後ろ側の都合のよいところに排出できるので、飛散が確実に防止される。また、パイプ２１から樋付ヘルメットの任意の外部に排出されるため、より装着者の視界を遮らなくなり、装着者の集中力を更に削がないようにできる。
【００２５】
尚、上記第一及び第三の実施の形態において、シール部材１４を用いているが、必ずしもこれに限定されるものではなく、シェル１との密着性が良ければ特に設けなくても良い。また、接着剤で接着固定するようにしてもよく、適宜変更して差し支えない。
【００２６】
【発明の効果】
以上説明したように、本発明の樋付ヘルメットによれば、鍔部の内側に樋に溜まった雨水を排水する排出通路を設けて構成したので、別途設けた排出通路の容量によって、樋の容量を実質的に増加させることができ、下向きに頭を下げた際、一気に雨水が樋内に入り込んでも、雨水を十分に受け入れることができ、樋から雨水が溢れ出る事態を抑制でき、溢れ抑制機能を向上させることができる。また、単に樋を大きくした場合よりも見栄えを損なうこともなく、外観品質を向上させることができる。
【００２７】
また、シェルの上下方向の軸線を垂直にした基準位置状態で、排出通路の底部を後下りに傾斜形成した場合には、常時、円滑に雨水を排出することができる。
更に、樋の前側上端縁に内側に折れ曲がる折り返し片を形成した場合には、樋内の雨水の量がある程度許容量を超えても、この折り返し片で雨水を受け止めることができ、そのため、より確実に樋からの溢れ出しを抑えることができ、この点でも、溢れ抑制機能を向上させることができる。
【００２８】
更にまた、鍔部の内側に排出通路を構成するダクトを一体に設け、鍔部に樋から排出通路に連通する連通孔を形成し、シェルの前側部分より後方に排出通路に連通する排出口を設けた場合には、ダクトを一体に設けたので、特に、鍔部が着脱タイプの場合には取り扱いが容易になる。また、見栄えを損なうこともなく、外観品質を向上させることができる。
【００２９】
また、排出口に雨水を下方に導く舌片を設けた場合には、雨水は排出口から舌片を伝わって略直下に落下していき、そのため、飛散を防止することができる。
更に、鍔部を着脱可能に形成し、排出通路を鍔部、ダクト及びシェルの外面を用いて構成し、鍔部及びダクトのシェルに接合する縁部にシール部材を設けた場合には、部品点数が少なくでき、構造の簡素化ができ、安価に製造することができる。また、鍔部及びダクトとシェルとの密着性が向上し、排出通路からの漏水を防止できる。
更に、ダクトに排出口を有したパイプを接合した場合には、雨水がパイプの排出口から外部に排出されるため、飛散を防止することができるとともに、より装着者の視界を遮らなくなり、装着者の集中力を更に削がないようにできる。
【図面の簡単な説明】
【図１】本発明の第一の実施の形態に係る樋付ヘルメットを示す分解斜視図である。
【図２】本発明の第一の実施の形態に係る樋付ヘルメットを示す斜視図である。
【図３】本発明の実施の形態に係る樋付ヘルメットをその基準位置状態で示す側面図である。
【図４】本発明の第一の実施の形態に係る樋付ヘルメットの要部を示す図１中Ｘ線視図である。
【図５】本発明の第一の実施の形態に係る樋付ヘルメットの要部を示す図２中Ｙ線視断面図である。
【図６】本発明の第一の実施の形態に係る樋付ヘルメットの要部を示す図２中Ｚ線視断面図である。
【図７】本発明の第二の実施の形態に係る樋付ヘルメットの要部を示す図４相当図である。
【図８】本発明の第二の実施の形態に係る樋付ヘルメットの要部を示す図６相当図である。
【図９】本発明の第三の実施の形態に係る樋付ヘルメットを示す一部切欠いた分解斜視図である。
【図１０】本発明の第三の実施の形態に係る樋付ヘルメットの要部を示す図９中Ｘａ視図である。
【図１１】従来の樋付ヘルメットの一例を示す側面図である。
【符号の説明】
１　シェル
１ａ　ライナ
２　鍔部
３　樋
４　顎紐
５　孔
６　ボルト
７　軸受部材
８　カバー
９　雌ネジ
１０　折り返し片
１１　排出通路
１２　ダクト
１３　排出口
１４　シール部材
１５　連通孔
１６　舌片
１７　壁部
１８　凸状部
１９　凹部
２０　通口
２１　パイプ
２２　通孔
【図１】
2004115940.tif 000003
【図２】
2004115940.tif 000004
【図３】
2004115940.tif 000005
【図４】
2004115940.tif 000006
【図５】
2004115940.tif 000007
【図６】
2004115940.tif 000008
【図７】
2004115940.tif 000009
【図８】
2004115940.tif 000010
【図９】
2004115940.tif 000011
【図１０】
2004115940.tif 000012
【図１１】
2004115940.tif 000013